(57)【要約】【課題】撮影シーンに拘わらず、露出オーバーを防止する。【解決手段】カメラ制御部４１は焦点検出結果に応じて、合焦状態とのずれが所定の範囲にある焦点検出領域を合焦範囲領域として検出して、当該合焦範囲領域に対応する測光領域で得られた測光結果を重み付けした後、測光結果に応じて第１の測光値を求める。また、カメラ制御部は測光結果に応じて第２の測光値を求め、合焦範囲領域の数が所定の数以上であると、第１および第２の測光値の差分および合焦範囲領域の数に応じて合焦範囲領域に対応する測光領域で得られた測光結果の重み付けを行って測光結果に応じて第３の測光値を求めて、第３の測光値を被写体測光値とする。【選択図】図７
2016118611.tif 000002
【特許請求の範囲】
【請求項１】
被写体を測光して被写体測光値を得る測光装置であって、
複数の焦点検出領域を備え、前記被写体について前記焦点検出領域の各々で焦点検出結果を得る焦点検出手段と、
複数の測光領域を備え、前記被写体について前記測光領域の各々で測光結果を得る測光手段と、
前記焦点検出結果に応じて、合焦状態とのずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算手段と、
前記測光結果に応じて第２の測光値を求める第２の演算手段と、
前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御手段と、
を有することを特徴とする測光装置。
【請求項２】
前記制御手段は、前記合焦範囲領域の数が所定の数未満であると、前記第１の測光値を前記被写体測光値とすることを特徴とする請求項１に記載の測光装置。
【請求項３】
前記制御手段は、前記被写体を撮影する際の撮影倍率が所定の倍率未満であると、前記合焦範囲領域の数が所定の数以上であるか否かを判定することを特徴とする請求項１又は２に記載の測光装置。
【請求項４】
前記制御手段は、前記撮影倍率が所定の倍率以上であると。前記第１の測光値を前記被写体測光値とすることを特徴とする請求項３に記載の測光装置。
【請求項５】
前記制御手段は、前記合焦範囲領域の数に応じた第１の補正係数と前記差分に応じた第２の補正係数を求めて、前記第１の補正係数および前記第２の補正係数に基づいて前記合焦範囲領域に対応する測光領域で得られた測光結果の重み付けを補正することを特徴とする請求項１〜４のいずれか１項に記載の測光装置。
【請求項６】
前記第１の補正係数は前記合焦範囲領域の数が多くなるにつれて小さくなることを特徴とする請求項５に記載の測光装置。
【請求項７】
前記第２の補正係数は前記差分が大きくなるにつれて小さくなることを特徴とする請求項５又は６に記載の測光装置。
【請求項８】
前記測光手段で得られた画像において前記被写体を検出する第１の検出手段と、
前記合焦範囲領域に対応する測光領域の位置および大きさを検出する第２の検出手段と、
前記第１の検出手段による検出結果と前記第２の検出結果とが所定の条件を満たすと、前記制御手段は前記演算処理を行って、前記第３の測光値を前記被写体測光値とすることを特徴とする請求項１に記載の測光装置。
【請求項９】
前記制御手段は、前記第１の検出手段による検出結果と前記第２の検出結果とが所定の条件を満たさないと、前記第１の測光値を前記被写体測光値とすることを特徴とする請求項８に記載の測光装置。
【請求項１０】
請求項１〜９のいずれか１項に記載の測光装置と、
前記被写体測光値に応じて前記被写体の撮影を制御する撮影制御手段と、
を有することを特徴とする撮像装置。
【請求項１１】
複数の焦点検出領域を備え、被写体について前記焦点検出領域の各々で焦点検出結果を得る焦点検出手段と、複数の測光領域を備え、前記被写体について前記測光領域の各々で測光結果を得る測光手段とを有し、前記被写体を測光して被写体測光値を得る測光装置の制御方法であって、
前記焦点検出結果に応じて、合焦状態のずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算ステップと、
前記測光結果に応じて第２の測光値を求める第２の演算ステップと、
前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御ステップと、
を有することを特徴とする制御方法。
【請求項１２】
複数の焦点検出領域を備え、被写体について前記焦点検出領域の各々で焦点検出結果を得る焦点検出手段と、複数の測光領域を備え、前記被写体について前記測光領域の各々で測光結果を得る測光手段とを有し、前記被写体を測光して被写体測光値を得る測光装置で用いられる制御プログラムであって、
前記測光装置が備えるコンピュータに、
前記焦点検出結果に応じて、合焦状態とのずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算ステップと、
前記測光結果に応じて第２の測光値を求める第２の演算ステップと、
前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御ステップと、
を実行させることを特徴とする制御プログラム。
【発明の詳細な説明】
【技術分野】
【０００１】
本発明は、測光装置、その制御方法、および制御プログラム、並びに撮像装置に関し、特に、デジタルカメラなどの撮像装置で用いられる測光装置に関する。
【背景技術】
【０００２】
一般に、デジタルカメラなどの撮像装置で用いられる測光装置では、逆光および順光など様々な撮影条件においても適正露出を得る必要がある。このため、測光装置では撮影画面を複数の測光領域に分割して、当該測光領域の各々で得られた測光値に応じて、所定のアルゴリズムを用いて被写体輝度を演算している。
【０００３】
例えば、この種の測光装置として、デフォーカス量に基づいて重み付けを行って第１の測光値を求めるとともに、デフォーカス量に応じた重み付けを行うことなく第２の測光値を求めるようにしたものがある（特許文献１参照）。
【０００４】
ここでは、デフォーカス量の分布に基づいて第１の測光値に対する重み付けが小さくなるように重み付け係数を決定して、被写体に対する露出の精度を高めるようにしている。
【０００５】
さらに、測光装置において、平均測光値がデフォーカス量に応じた重み付けを行った測光値（デフォーカス測光値）よりも所定値を超えて大きいか否かを判定するようにしたものがある（特許文献２）。
【０００６】
ここでは、平均測光値がデフォーカス測光値よりも所定値を超えて大きく、かつ撮影の際にフラッシュ発光を行う際には、露出制御値を算出する際のデフォーカス測光値に関する重み付けを減少させるようにしている。これによって、被写体に関する露出精度を高めつつ、フラッシュ発光を行った際の背景と被写体との露出バランスを改善するようにしている。
【先行技術文献】
【特許文献】
【０００７】
【特許文献１】特開２０１２−１９４２６２号公報
【特許文献２】特開２０１３−０７６９５１号公報
【発明の概要】
【発明が解決しようとする課題】
【０００８】
ところで、特許文献１又は２においては、多数の焦点検出領域に関するデフォーカス量に応じて合焦又は合焦近傍にあるとみなすことができる領域を主被写体領域と判定している。そして、主被写体領域における測光値の重み付けを大きくすることによって、主被写体に対する露出が適正となる確率を高くしている。
【０００９】
ところが、特許文献１又は２に記載の露出制御において、例えば、黒色のような反射率が極めて低い物体の直前に人物が存在し、かつ当該人物の大きさが小さい撮影シーンにおいては、露出が適正になる確率が低下する。
【００１０】
つまり、人物と黒い物体との距離が近いと、焦点検出領域の大部分においてデフォーカス量が合焦或いは合焦近傍にあるとことになる。その結果、黒い物体に対応する測光エリアで得られた測光値の重み付けが大きくなって、露出が露出オーバーになってしまうことがある。
【００１１】
さらに、近年、測光用センサーの解像度が向上にしている関係上、測光用センサーに対するレンズの結像性能が向上している。また、測光用センサーのダイナミックレンジが拡大されていることを考慮すると、上述のような撮影シーンでは露出オーバーになる頻度が増加してしまう。
【００１２】
従って、本発明の目的は、人物と黒い物体との距離が近いときに露出オーバーとなることを低減することのできる測光装置、その制御方法、および制御プログラム、並びに撮像装置を提供することにある。
【課題を解決するための手段】
【００１３】
上記の目的を達成するため、本発明による測光装置は、被写体を測光して被写体測光値を得る測光装置であって、複数の焦点検出領域を備え、前記被写体について前記焦点検出領域の各々で焦点検出結果を得る焦点検出手段と、複数の測光領域を備え、前記被写体について前記測光領域の各々で測光結果を得る測光手段と、前記焦点検出結果に応じて、合焦状態とのずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算手段と、前記測光結果に応じて第２の測光値を求める第２の演算手段と、前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御手段と、を有することを特徴とする。
【００１４】
本発明による撮像装置は、上記の記載の測光装置と、前記被写体測光値に応じて前記被写体の撮影を制御する撮影制御手段と、を有することを特徴とする。
【００１５】
本発明による制御方法は、複数の焦点検出領域を備え、被写体について前記焦点検出領域の各々で焦点検出結果を得る焦点検出手段と、複数の測光領域を備え、前記被写体について前記測光領域の各々で測光結果を得る測光手段とを有し、前記被写体を測光して被写体測光値を得る測光装置の制御方法であって、前記焦点検出結果に応じて、合焦状態とのずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算ステップと、前記測光結果に応じて第２の測光値を求める第２の演算ステップと、前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御ステップと、を有することを特徴とする。
【００１６】
本発明による制御プログラムは、複数の焦点検出領域を備え、被写体について前記焦点検出領域の各々で焦点検出結果を得る焦点検出手段と、複数の測光領域を備え、前記被写体について前記測光領域の各々で測光結果を得る測光手段とを有し、前記被写体を測光して被写体測光値を得る測光装置で用いられる制御プログラムであって、前記測光装置が備えるコンピュータに、前記焦点検出結果に応じて、合焦状態とのずれが所定の範囲にある焦点検出領域を合焦範囲領域として検出して、当該合焦範囲領域に対応する測光領域で得られた測光結果を重み付けした後、前記測光結果に応じて第１の測光値を求める第１の演算ステップと、前記測光結果に応じて第２の測光値を求める第２の演算ステップと、前記合焦範囲領域の数が所定の数以上であると、前記第１の測光値と前記第２の測光値との差分および前記合焦範囲領域の数に応じて前記合焦範囲領域に対応する測光領域で得られた測光結果の重み付けを行って、前記測光結果に応じて第３の測光値を求める演算処理を行い、前記第３の測光値を前記被写体測光値とする制御ステップと、を実行させることを特徴とする。
【発明の効果】
【００１７】
本発明によれば、人物と黒い物体との距離が近いときに露出オーバーとなることを低減することができる。
【図面の簡単な説明】
【００１８】
【図１】本発明の第１の実施形態による測光装置を備える撮像装置の一例についてその構成を示す断面図である。
【図２】図１に示す焦点検出用センサーの一例についてその構成を示す図である。
【図３】図１に示す測光用センサーの一例についてその構成を説明するための図であり、（ａ）は測光用センサーの受光面を複数の領域に分割した測光領域を示す図、（ｂ）は測光領域の各々における受光画素の配列の一例を示す図である。
【図４】図１に示すファインダー光学系のファインダー視野において測光用センサーの視野と焦点検出用センサーの焦点検出領域との対応の一例を示す図である。
【図５】図１に示すカメラにおける制御系統の一例を説明するためのブロック図である。
【図６】図４に示すカメラにおける撮影処理の一例を説明するためのフローチャートである。
【図７】図６に示す露出演算処理を説明するためフローチャートである。
【図８】図５に示すカメラ制御部で行われる第１および第２の補正係数の算出を説明するための図であり、（ａ）は合焦範囲測距点数と第１の補正係数との関係を示す図、（ｂ）は輝度差と第２の補正係数との関係を示す図である。
【図９】本発明の第２の実施形態に係るカメラで行われる露出演算処理を説明するためのフローチャートである。
【図１０】図９において所定の条件が満たされた場合の状態についてその一例を示す図である。
【図１１】逆光シーンにおいて人物を撮影する際、その撮影倍率が高い場合の一例を示す図である。
【発明を実施するための形態】
【００１９】
以下に、本発明の実施の形態による測光装置を備える撮像装置の一例について、図面を参照して説明する。
【００２０】
［第１の実施形態］
図１は、本発明の第１の実施形態による測光装置を備える撮像装置の一例についてその構成を示す断面図である。
【００２１】
図示の撮像装置は、例えば、レンズ交換可能な一眼レフカメラ（以下単にカメラと呼ぶ）であり、カメラ本体１および交換レンズユニット（以下単に交換レンズと呼ぶ）２を有している。
【００２２】
カメラ本体１には、撮像素子１２が備えられており、この撮像素子１２は、例えば、ＣＭＯＳ又はＣＣＤセンサーなどのエリア蓄積型の撮像素子である。撮像素子１２の前面側には光学ローパスフィルター１１が配置され、光学ローパスフィルター１１の前にはメカニカルシャッター１０が配置されている。
【００２３】
メカニカルシャッター１０の前段には半透過性の主ミラー１３が配置されている。そして、メカニカルシャッター１０と主ミラー１３との間には第１の反射ミラー１４が配置されている。これら主ミラーおよび第１の反射ミラー１４は、撮影の際には、図中上方に跳ね上がる。つまり、主ミラーおよび第１の反射ミラー１４は、撮影の際には、交換レンズ２の光軸から退避する。
【００２４】
第１の反射ミラー１４で反射した光の光軸上には、近軸的結像面１５が規定され、この近軸的結像面１５は第１の反射ミラー１４に関して撮像素子１２の結像面と共役な位置にある。
【００２５】
第２の反射ミラー１６は第１の反射ミラー１４で反射した光を反射して、焦点検出用センサー（ＡＦセンサー）２０に導く。第２の反射ミラー１６と焦点検出用センサー２０との間には、赤外カットフィルター１７、絞り１８、および２次結像レンズ１９が配置されている。
【００２６】
なお、絞り１８には２つの開口部が形成されている。焦点検出用センサー２０は、例えば、ＣＭＯＳ又はＣＣＤなどのエリア蓄積型光電変換素子を備えている。
【００２７】
図２は、図１に示す焦点検出用センサー２０の一例についてその構成を示す図である。
【００２８】
焦点検出用センサー２０は、図１に示す絞り１８の２つの開口部にそれぞれ対応する受光センサー部２０Ａおよび２０Ｂを有している。そして、これら受光センサー部２０Ａおよび２０Ｂはそれぞれ多数の受光部に分割されている。
【００２９】
さらに、図示はしないが、焦点検出用センサー２０は信号蓄積および信号処理用の周辺回路などが備えられ、これら周辺回路は受光センサー部２０Ａおよび２０Ｂとともに、同一チップ上に集積されている。
【００３０】
なお、第１の反射ミラー１４、第２の反射ミラー１６、赤外カットフィルター１７、絞り１８、２次結像レンズ１９、および焦点検出用センサー２０までの構成によって、撮影画面における任意の位置で所謂像ずれ方式による焦点検出を行うことができる。
【００３１】
再び図１を参照して、主ミラー１３の上方には、拡散性を有するピント板２１が配置され、ピント板２１の上側にはペンタプリズム２２が配置されている。そして、プリズム２２を通過した光は接眼レンズ２３に入射する。
【００３２】
プリズム２２の近傍には第３の反射ミラー２４が配置され、第３の反射ミラー２４で反射した光は集光レンズ２５を介して測光用センサー２６に導かれる。なお、測光用センサー２６は被写体の輝度を示す輝度情報を得るためのものである。そして、測光用センサー２６は、例えば、ＣＭＯＳ又はＣＣＤなどのエリア蓄積型光電変換素子を有している。
【００３３】
図３は、図１に示す測光用センサー２６の一例についてその構成を説明するための図である。そして、図３（ａ）は測光用センサー２６の受光面を複数の領域に分割した測光領域を示す図であり、図３（ｂ）は測光領域の各々における受光画素の配列の一例を示す図である。
【００３４】
図３（ａ）において、測光用センサー２６はその受光面が複数の領域に分割されて、複数の測光領域が規定されている。そして、測光用センサー２６は、測光領域毎に被写体に関する輝度情報を出力する。図示の例では、受光面は７行×９列の６３個の測光領域に分割されており、測光領域ＰＤ１１〜ＰＤ７９が形成されている。
【００３５】
測光領域ＰＤ１１〜ＰＤ７９の各々は、図３（ｂ）に示すように、複数の受光画素部ｕｐｄを有している。そして、測光におけるダイナミックレンジの拡大のため、受光画素部ｕｐｄの各々は受光面積が大きい高感度画素ｕｐｄｈと受光面積が小さい低感度画素ｕｐｄｌとを備えている。
【００３６】
ここでは、受光画素部ｕｐｄの出力として、高感度画素ｕｐｄｈおよび低感度画素ｕｐｄｌのいずれか一方の出力が選択される。選択の際には、飽和および黒つぶれがない画素出力が選択される。
【００３７】
なお、感度が異なる複数の画素を有する受光画素部を備える高ダイナミックレンジの測光用センサーを用いれば、広範囲に亘る被写体輝度を測光することができる。なお、測光用センサー２６は受光画素部の他に信号増幅および信号処理用の周辺回路などが同一チップ上に集積されている。図３に示したセンサーはあくまで一例であり、測光用センサー２６は、単一の感度の受光画素部を有する構成でなくてもよい。
【００３８】
再び図１を参照して、図示のカメラにおいては、ピント板２１、ペンタプリズム２２、および接眼レンズ２３によってファインダー光学系が形成される。測光用センサー（ＡＥセンサー）２６には主ミラー１３によって反射され、さらにピント板２１によって拡散された光の一部が入射する。
【００３９】
図４は、図１に示すファインダー光学系のファインダー視野において測光用センサー２６の視野と焦点検出用センサー２０の焦点検出領域との対応の一例を示す図である。
【００４０】
図示のように、焦点検出領域としてＳ０１〜Ｓ２７の合計２７領域が示されている。これら焦点検出領域Ｓ０１〜Ｓ２７はそれぞれ測光領域ＰＤ２４〜ＰＤ２６、ＰＤ３２〜ＰＤ３８、ＰＤ４２〜ＰＤ４８、ＰＤ５２〜ＰＤ５８、およびＰＤ６４〜ＰＤ６６に対応した位置に配置される。
【００４１】
再び図１を参照して、カメラ本体１には交換レンズ（撮影レンズともいう）２を取り付けるためのマウント部２７が設けられている。そして、このマウント部２７には撮影レンズ２と通信を行うための接点部２８が形成されている。
【００４２】
交換レンズ２は光学レンズ３０ａ〜３０ｅを備えるとともに、絞り３１を有している。さらに、交換レンズ２の後端面には、カメラ本体１と通信を行うための接点部３２が設けられるとともに、交換レンズ２をカメラ本体１に取り付けるためのマウント部３３が設けられている。
【００４３】
図５は、図１に示すカメラにおける制御系統の一例を説明するためのブロック図である。なお、図５において、図１に示す構成要素と同一の構成要素については同一の参照番号を付す。
【００４４】
カメラ本体１には、カメラ制御部４１が備えられている。カメラ制御部４１は、例えば、演算装置（ＡＬＵ）、ＲＯＭ、ＲＡＭ、Ａ／Ｄコンバータ、タイマー（Ｔｉｍｅｒ）、およびシリアル通信ポート（ＳＰＩ）を内蔵するワンチップマイクロコンピュータである。そして、カメラ制御部４１はカメラ全体の制御を行う。
【００４５】
焦点検出用センサー（ＡＦセンサー）２０および測光用センサー（ＡＥセンサー）２６の出力信号は、カメラ制御部４１に備えられたＡ／Ｄコンバータの入力端子に入力される。
【００４６】
信号処理回路４３は、カメラ制御部４１の制御下で撮像素子１２を駆動制御して撮像素子１２の出力である画像信号（撮像信号）をＡ／Ｄ変換した後、所定の信号処理を行って画像データとする。さらに、信号処理回路４３は、画像データを記録する際には、圧縮処理又は合成処理などの所定の画像処理を行う。
【００４７】
メモリ４４は、例えば、ＤＲＡＭであり、信号処理回路４３による信号処理の際のワーク用メモリとして用いられる。さらに、メモリ４４は、表示器４５に画像を表示する際のＶＲＡＭとして用いられる。
【００４８】
表示器４５は、例えば、液晶パネルで構成されており、表示器４５には各種の撮影情報および撮像の結果得られた画像が表示される。そして、カメラ制御４１は表示器４５を点灯制御する。記憶部４６は、例えば、フラッシュメモリなどの不揮発性メモリであり、信号処理回路４３は画像データを記憶部４６に記憶する。
【００４９】
図示のように、カメラ制御部４１には第１のモータードライバー４７、レリーズスイッチ（ＳＷ）４９、およびシャッター駆動部５０が接続されている。第１のモータードライバー４７は、カメラ制御部４１の制御下で、主ミラー１３および第１の反射ミラー１４のアップ・ダウン、そして、メカニカルシャッター１０のチャージを行うための第１のモーター４８を駆動する。
【００５０】
レリーズＳＷ４９はカメラ制御部４１に対して撮影開始を指示するためのスイッチである。シャッター駆動部５０は、カメラ制御部４１の制御下でメカニカルシャッター１０を駆動する。
【００５１】
カメラ本体１に備えられた接点部２８は、カメラ制御部４１に備えられたＳＰＩに接続される。さらに、カメラ本体１に備えられた接続部２９は、カメラ制御部４１に備えられたＳＰＩに接続される。
【００５２】
交換レンズ２には、レンズ制御部５１が備えられている。レンズ制御部５１は、例えば、ＡＬＵ、ＲＯＭ、ＲＡＭ、タイマー、およびＳＰＩを内蔵するワンチップマイクロコンピュータである。
【００５３】
第２のモータードライバー５２は、レンズ制御部５１の制御下で、焦点調節を行うための第２のモーター５３を駆動する。第３のモータードライバー５４は、レンズ制御部５１の制御下で絞り３１の駆動するための第３のモーター５５を駆動する。
【００５４】
レンズ制御部５１には、距離エンコーダー５６およびズームエンコーダー５７が接続されている。距離エンコーダー５６は焦点調節レンズ（つまり、フォーカスレンズ）の繰り出し量、つまり、被写体距離を示す被写体距離情報を得る。ズームエンコーダー５７は交換レンズ２に備えられたズームレンズの移動に応じて撮影の際に焦点距離を示す焦点距離情報を得る。接点部３２はレンズ制御部５１に備えられたＳＰＩに接続される。
【００５５】
交換レンズ２がカメラ本体１に装着されると、接点部２８および３２が接続される。これによって、レンズ制御部５１はカメラ制御部４１とデータ通信が可能となる。そして、レンズ制御部５１は、焦点検出および露出演算を行うために必要なレンズ固有の光学情報、被写体距離情報、および焦点距離情報をカメラ制御部４１に送る。
【００５６】
カメラ制御４１は焦点検出および露出演算によって得られた焦点調節情報および絞り情報をレンズ制御部５１に送る。レンズ制御部５１は焦点調節情報に応じて第２のモータードライバー５２を制御するとともに、絞り情報に応じて第３のモータードライバー５４を制御する。
【００５７】
図６は、図４に示すカメラにおける撮影処理の一例を説明するためのフローチャートである。なお、図示のフローチャートに係る処理は、カメラ制御部４１の制御下で行われる。
【００５８】
いま、カメラに備えられた電源スイッチ（図示せず）がオンされると、カメラ制御部４１が動作可能となる。そして、カメラ制御部４１はレンズ制御部５１から焦点検出および露出演算に必要なレンズ情報を得る（ステップＳ１０１：レンズ通信）。
【００５９】
続いて、カメラ制御部４１は焦点検出用センサー２０を制御して電荷蓄積（信号蓄積）を行い、信号蓄積が終了すると焦点検出用センサー２０に蓄積された信号（つまり、電荷）を読み出す（ステップＳ１０２）。そして、カメラ制御部４１は信号電荷をＡ／Ｄ変換して焦点検出用データを得て、焦点検出用データに対してシェーディング補正などのデータ補正を行う。
【００６０】
次に、カメラ制御部４１はレンズ情報および焦点検出用データに応じて焦点検出領域毎に焦点検出を行って焦点検出結果を得る（ステップＳ１０３）。そして、カメラ制御部４１は、合焦させるべき焦点検出領域を決定する。
【００６１】
焦点検出領域の決定に当たっては、例えば、カメラ制御部４１はユーザーに指定された焦点検出領域を合焦させるべき焦点検出領域として決定する。なお、カメラ制御部４１は、主被写体領域を合焦させるべき焦点検出領域として決定するようにしてもよい。
【００６２】
カメラ制御部４１は合焦させるべき焦点検出領域における焦点検出結果に応じて合焦状態とするためのレンズ移動量を算出する。そして、カメラ制御部４１は、当該レンズ駆動量をレンズ制御部５１に送る。レンズ制御部５１は、レンズ駆動量に基づいて第２のモータードライバー５２を制御して第２のモーター５３によって焦点調節用レンズを駆動する（ステップＳ１０３）。これによって、交換レンズ２は主被写体に対して合焦状態となる。
【００６３】
この際、焦点調節用レンズの駆動によって被写体距離情報が変化するので、レンズ制御部５１はレンズ情報を更新する。
【００６４】
続いて、カメラ制御部４１は交換レンズ２が主被写体に対して合焦状態になった状態において、焦点検出領域Ｓ０１〜Ｓ２７における焦点検出結果であるデフォーカス量（デフォーカス情報ともいう）を算出する（ステップＳ１０４）。
【００６５】
その後、カメラ制御部４１は測光用センサー２６について蓄積制御および信号読み出し制御を行う（ステップＳ１０５）。これによって、測光用センサー２６は所定の時間の電荷蓄積を行って信号電荷を出力する。カメラ制御部４１は当該信号電荷をＡ／Ｄ変換して測光用データとしてＲＡＭに格納する。
【００６６】
次に、カメラ制御部４１は、ＲＡＭに格納した測光用データに基づいて、後述するようにして、所定の露出演算処理を行う（ステップＳ１０６）。そして、カメラ制御部４１は最適なシャッター速度、絞り値、および撮影感度を決定する。
【００６７】
次に、カメラ制御部４１はレリーズＳＷ４９がオンとなったか否かを確認する（ステップＳ１０７）。レリーズＳＷ４９がオンとならないと（ステップＳ１０７において、ＮＯ）、カメラ制御部４１はステップＳ１０１の処理に戻る。
【００６８】
レリーズＳＷ４９がオンとなると（ステップＳ１０７において、ＹＥＳ）、カメラ制御部４１は撮像シーケンスを実行する（ステップＳ１０８）。ここでは、カメラ制御部４１は第１のモータードライバー４７を制御して第１のモーター４８を駆動し主ミラー１３および第１の反射ミラー１４を跳ね上げる。
【００６９】
続いて、カメラ制御部４１は、前述のステップ１０６で求めた絞り値をレンズ制御部５１に送る。レンズ制御部５１は、当該絞り値に基づいて第３のモータードライバー５４を制御して第３のモーター５５によって絞り３１を駆動する。これによって、交換レンズ２は絞り込み状態となる。
【００７０】
次に、カメラ制御部４１はシャッター駆動部５０を制御してシャッター１０を開放状態とする。これによって、撮像素子１２には交換レンズ２を介して光学像が結像する。そして、カメラ制御部４１は、前述のステップ１０６で求めたシャッター速度（つまり、シャッター開放時間）に応じた蓄積時間と撮像感度に応じた読み出しゲインとに基づいて信号処理回路４３を制御する。これによって、撮像素子１２において信号蓄積が行われる。つまり、撮像が行われる。
【００７１】
撮像が終了すると、カメラ制御部４１はシャッター駆動部５０を制御してシャッター１０を遮光状態とする。これによって、撮像素子１２が遮光される。その後、カメラ制御部４１はレンズ制御部５１に絞り３１の開放を指示する。そして、レンズ制御部５１は第３のモータードライバー５４を制御して第３のモーター５５によって絞り３１を駆動する。これによって、交換レンズ２は絞り開放状態となる。
【００７２】
さらに、カメラ制御部４１は第１のモータードライバー４７を制御して、第１のモーター４８によって主ミラー１３および第１の反射ミラー１４をダウンさせるとともに、シャッター１０のメカチャージを行う。
【００７３】
続いて、カメラ制御部４１は信号処理回路４３によって撮像素子１２の出力である画像信号をＡ／Ｄ変換した後、所定の補正処理および補間処理を行う（ステップＳ１０９）。この際、カメラ制御部４１は信号処理回路４３によってホワイトバランス処理を行う。
【００７４】
例えば、信号処理回路４３は画像を複数の領域に分割して、領域毎の色差信号に応じて被写体の白色領域を抽出する。そして、信号処理回路４３は当該白色領域に基づいて画像全体における赤チャンネルおよび青チャンネルについてゲイン補正を行ってホワイトバランス処理（つまり、ホワイトバランス調整）を行う。
【００７５】
カメラ制御部４１は、ホワイトバランス処理後の画像データを記録ファイルフォーマットに圧縮変換した後、記憶部４６に記憶する。そして、カメラ制御部４１は撮影処理を終了する。
【００７６】
図７は、図６に示す露出演算処理を説明するためフローチャートである。
【００７７】
図６で説明したようにして、ＲＡＭに画素毎の測光用データが格納される。カメラ制御部４１は、測光領域（ブロック）ＰＤ１１〜ＰＤ７９毎に画素毎の測光用データを積分処理して、測光領域ＰＤ１１〜ＰＤ７９毎の測光値（測光データ：測光結果）を求める。そして、カメラ制御部４１は、レンズ情報に基づいて測光領域ＰＤ１１〜ＰＤ７９毎の測光値を補正する（ステップＳ１２１）。
【００７８】
以下、測光領域ＰＤ１１〜ＰＤ７９に対応する補正後の測光値をそれぞれ測光値ＥＤ１１〜ＥＤ７９とする。
【００７９】
さらに、カメラ制御部４１は、前述のステップ１０４で求めた焦点検出領域Ｓ０１〜Ｓ２７におけるデフォーカス量を、合焦状態との相違に応じて複数の段階に区分する。例えば、カメラ制御部４１は、合焦状態にある焦点検出領域のデフォーカス量を基準デフォーカス量（０μｍ）とし、デフォーカス量を第１〜第４の段階の４段階に区分する。
【００８０】
ここでは、デフォーカス量が±２５μｍ以下であるものは第１の段階とされ、デフォーカス量が±２５μｍを超えて±５０μｍ以下のものは第２の段階とされる。そして、デフォーカス量が±５０μｍを超えて±１００μｍ以下のものは第３の段階とされ、デフォーカス量が±１００μｍを超えるものは第４の段階とされる。
【００８１】
次に、カメラ制御部４１は測光値ＥＤ１１〜ＥＤ７９に基づいて以下のように行方向および列方向毎の加算平均値（１次元射影データ）Ｘ１〜Ｘ９およびＹ１〜Ｙ７を算出する（ステップＳ１２２）。
【００８２】
Ｘ１＝Σ（ＥＤｘ１）÷７、Ｘ２＝Σ（ＥＤｘ２）÷７、Ｘ３＝Σ（ＥＤｘ３）÷７、Ｘ４＝Σ（ＥＤｘ４）÷７、Ｘ５＝Σ（ＥＤｘ５）÷７、Ｘ６＝Σ（ＥＤｘ６）÷７、Ｘ７＝Σ（ＥＤｘ７）÷７、Ｘ８＝Σ（ＥＤｘ８）÷７、Ｘ９＝Σ（ＥＤｘ９）÷７、但し、ｘ＝１〜７である。
【００８３】
Ｙ１＝Σ（ＥＤ１ｙ）÷９、Ｙ２＝Σ（ＥＤ２ｙ）÷９、Ｙ３＝Σ（ＥＤ３ｙ）÷９、Ｙ４＝Σ（ＥＤ４ｙ）÷９、Ｙ５＝Σ（ＥＤ５ｙ）÷９、Ｙ６＝Σ（ＥＤ６ｙ）÷９、Ｙ７＝Σ（ＥＤ７ｙ）÷９、但し、ｙ＝１〜９である。
【００８４】
続いて、カメラ制御部４１は加算平均値（１次元射影データ）Ｙ１〜Ｙ７およびＸ１〜Ｘ９において最大の加算平均値を最大値Ｅｍａｘとして検出する（ステップＳ１２３）。そして、カメラ制御部４１は最大値Ｅｍａｘに基づいて第１の露出補正値Ｅｈｃを求める（ステップＳ１２４）。
【００８５】
例えば、カメラ制御部４１は最大値ＥｍａｘがＢｖ値で”１０”を超える場合には、次の式（１）によって第１の露出補正値Ｅｈｃを求める。
【００８６】
Ｅｈｃ＝（Ｅｍａｘ−１０）×０．２５      （１）
なお、最大値ＥｍａｘがＢｖ値で”１０”を超える高輝度被写体は明るく写った方が好ましい場合が多く、このような補正を行うために最大値ＥｍａｘがＢｖ値で”１０”を超える場合に第１の露出補正値Ｅｈｃを求めることになる。また、上記の係数０．２５は一例であり、高輝度被写体をどの程度明るく写るようにするかに応じて係数は決定される。
【００８７】
次に、カメラ制御部４１は、前述のステップ１０３において合焦させるべき焦点検出領域として決定された焦点検出領域（以下単に合焦エリアと呼ぶ）に基づいて、次の第１〜第３の条件に場合わけを行って、被写体輝度値（全体平均測光値ともいう）Ｅａを算出する（ステップＳ１２５）。
【００８８】
第１の条件：合焦エリアが焦点検出領域Ｓ０４、Ｓ０５、Ｓ１１、Ｓ１２、Ｓ１８、又はＳ１９である場合、カメラ制御部４１は次の式（２）によって被写体輝度値Ｅａを求める。
【００８９】
Ｅａ＝｛Ｘ１＋Ｘ２＋Ｘ３＋Ｘ４＋Ｘ５＋Ｘ６＋Ｘ７＋０．５×（Ｘ８＋Ｘ９）｝÷８      （２）
第２の条件：合焦エリアが焦点検出領域Ｓ０９、Ｓ１０、Ｓ１６、Ｓ１７、Ｓ２３、又はＳ２４である場合、カメラ制御部４１は次の式（３）によって被写体輝度値Ｅａを求める。
【００９０】
Ｅａ＝｛０．５×（Ｘ１＋Ｘ２）＋Ｘ３＋Ｘ４＋Ｘ５＋Ｘ６＋Ｘ７＋Ｘ８＋Ｘ９｝÷８      （３）
第３の条件：合焦エリアが第１および第２の条件以外の焦点検出領域である場合、カメラ制御部４１は次の式（４）によって被写体輝度値Ｅａを求める。
【００９１】
Ｅａ＝｛０．５×（Ｘ１＋Ｘ９）＋Ｘ２＋Ｘ３＋Ｘ４＋Ｘ５＋Ｘ６＋Ｘ７＋Ｘ８｝÷８      （４）
続いて、カメラ制御部４１は、デフォーカス量が第１〜第４の段階のいずれかに区分された焦点検出領域Ｓ０１〜Ｓ２７のデフォーカス量に応じて、当該焦点検出領域に対応する測光領域における測光値の重み付け係数Ｋｄｆ（ｘ，ｙ）を決定する。
【００９２】
例えば、カメラ制御部４１は第１〜第４の段階の区分に応じて、対応する測光領域の重み付け係数Ｋｄｆ（ｘ、ｙ）を次のようにして決定する。ここで、（ｘ、ｙ）は測光領域ＰＤ１１〜ＰＤ７９の位置を示す。
【００９３】
デフォーカス量が第１の段階の場合には、カメラ制御部４１は重み付け係数Ｋｄｆ（ｘ、ｙ）＝８とする。デフォーカス量が第２の段階の場合には、カメラ制御部４１は重み付け係数Ｋｄｆ（ｘ、ｙ）＝４とする。
【００９４】
また、デフォーカス量が第３の段階の場合には、カメラ制御部４１は重み付け係数Ｋｄｆ（ｘ、ｙ）＝２とする。そして、デフォーカス量が第４の段階の場合には、カメラ制御部４１は重み付け係数Ｋｄｆ（ｘ、ｙ）＝０とする。
【００９５】
なお、測光領域ＰＤ１１のように対応する焦点検出領域が存在しない測光領域については、重み付け係数Ｋｄｆ（ｘ、ｙ）はゼロとされる。
【００９６】
カメラ制御部４１は、次の式（５）によって測光領域毎の重み付け係数Ｋｄｆ（ｘ、ｙ）の総和Ｋｄｆを求める。
【００９７】
Ｋｄｆ＝ΣＫｄｆ（ｘ、ｙ）      （５）
続いて、カメラ制御部４１は、焦点検出領域に対応する測光領域の測光値に付与される重み付け係数Ｋｄｆ（ｘ、ｙ）に基づいて、次の式（６）によって重み付け加算平均被写体輝度値（合焦部輝度値ともいう）Ｅｄｆを算出する（ステップＳ１２６）。
【００９８】
Ｅｄｆ＝Σ｛Ｋｄｆ（ｘ、ｙ）×ＥＤ（ｘ、ｙ）｝÷Ｋｄｆ      （６）
例えば、焦点検出領域Ｓ０１におけるデフォーカス量が＋３０μｍであるとすると、カメラ制御部４１は、焦点検出領域Ｓ０１に対応する測光領域ＰＤ２４の重み付け係数Ｋｄｆ（２、４）を”４”とする。また、焦点検出領域Ｓ０２におけるデフォーカス量が＋８０μｍであるとすると、カメラ制御部４１は、焦点検出領域Ｓ０２に対応する測光領域ＰＤ２５の重み付け係数Ｋｄｆ（２、５）を”２”とする。そして、カメラ制御部４１は測光領域毎の重み付け係数を用いて重み付け加算平均被写体輝度値Ｅｄｆを算出する。
【００９９】
なお、重み付け加算平均被写体輝度値Ｅｄｆは合焦領域における平均輝度情報とみなすことができる。
【０１００】
次に、カメラ制御部４１は、ステップＳ１２４〜Ｓ１２６で求めた第１の露出補正値Ｅｈｃ、被写体輝度値Ｅａ、および重み付け加算平均被写体輝度値Ｅｄｆに基づいて、次の式（７）および式（８）によって第１の被写体輝度値Ｅｅ１および第２の被写体輝度値Ｅｅ２を求める（ステップＳ１２７）。
【０１０１】
ここで、第１の被写体輝度値Ｅｅ１はデフォーカス量に基づく重み付けを加味した輝度値であり、第２の被写体輝度値Ｅｅ２はデフォーカス量に基づく重み付けを加味しない輝度値である。
【０１０２】
Ｅｅ１＝（Ｅａ×５６＋Ｅｄｆ×Ｋｄｆ）÷（５６＋Ｋｄｆ）−Ｅｈｃ      （７）
Ｅｅ２＝Ｅａ−Ｅｈｃ      （８）
次に、カメラ制御部４１は、前出の被写体距離情報および焦点距離情報に応じて撮影倍率を求める。そして、カメラ制御部４１は撮影倍率が所定の倍率未満であるか否かを判定する（ステップＳ１２８）。
【０１０３】
ところで、逆光において人物撮影を行う場合に撮影倍率が高いと、多数の焦点検出領域が合焦に近いデフォーカス量となることがある。ところが、逆光シーンにおいては、暗い領域に対応する測光領域の重み付けが高くなる方がよい。
【０１０４】
ステップＳ１２８の処理は、逆光シーンなどのような撮影状況であるか否かを判定するために行われる。例えば、人物がかなりアップの撮影となる０．０３倍の撮影倍率を所定の倍率（つまり、判定閾値）とする。
【０１０５】
撮影倍率が所定の倍率未満であると（ステップＳ１２８において、ＹＥＳ）、カメラ制御部４１は、第４の段階を除く第１〜第３の段階（合焦範囲）にある焦点検出領域の数を合焦範囲領域の数として求める。そして、カメラ制御部４１は当該合焦範囲領域数が所定の数以上であるか否かを判定する（ステップＳ１２９）。ここで、所定の数は、例えば、”１９”である。
【０１０６】
合焦範囲領域数が所定の数以上であると（ステップＳ１２９において、ＹＥＳ）、カメラ制御部４１は、第１〜第３の段階にある焦点検出領域の数（つまり、合焦範囲領域数）に応じて第１の補正係数Ｋｆｎを算出する（ステップＳ１３０）。
【０１０７】
図８は、図５に示すカメラ制御部４１に行われる第１および第２の補正係数の算出を説明するための図である。そして、図８（ａ）は合焦範囲領域数と第１の補正係数との関係を示す図であり、図８（ｂ）は輝度差と第２の補正係数との関係を示す図である。
【０１０８】
図８（ａ）に示すように、合焦範囲領域数の数が所定の数（ここでは、１９）まで、第１の補正係数Ｋｆｎは１００％であり、合焦範囲領域数が所定の数よりも増加するにつれて第１の補正係数Ｋｆｎは小さくなる。そして、合焦範囲領域数が全ての焦点検出領域の数となると（ここでは、２７）、第１の補正係数Ｋｆｎは０％となる。
【０１０９】
再び図７を参照して、カメラ制御部４１は、次の式（９）によって第１の被写体輝度値Ｅｅ１と第２の被写体輝度値Ｅｅ２との差分である輝度差Δｅｅを求める（ステップＳ１３１）。
【０１１０】
Δｅｅ＝Ｅｅ１−Ｅｅ２      （９）
続いて、カメラ制御部４１は輝度差Δｅｅに基づいて第２の補正係数Ｋｅｅを算出する（ステップＳ１３２）。図８（ｂ）に示すように、ここでは、第２の補正係数Ｋｅｅは、輝度差Δｅｅが０．６段（０．６Ｆ）以下である場合には１００％となる。
【０１１１】
また、輝度差Δｅｅが増加するに応じて、第２の補正係数Ｋｅｅは小さくなって、輝度差Δｅｅが１．８段以上の場合に、第２の補正係数Ｋｅｅは０％となる。
【０１１２】
次に、カメラ制御部４１は、次の式（１０）によって撮影を行う際の最終的な被写体輝度値（最終被写体輝度値）Ｅｅを求める（ステップＳ１３３）。
【０１１３】
Ｅｅ＝（Ｅａ×５６＋Ｅｄｆ×Ｋｄｆｃ）÷（５６＋Ｋｄｆｃ）−Ｅｈｃ      （１０）
但し、Ｋｄｆｃ＝Ｋｄｆ×Ｋｆｎ×Ｋｅｅである。
【０１１４】
ステップＳ１３３の処理においては、第１の補正係数Ｋｆｎおよび第２の補正係数Ｋｅｅによって、合焦又は合焦近傍の測光領域における測光値の重み付けを下げて、最終被写体輝度値（被写体測光値）Ｅｅを求めることになる。
【０１１５】
ステップＳ１３３の処理の後、カメラ制御部４１は、図６に示すステップＳ１０７の処理に進む。
【０１１６】
合焦範囲領域数が所定の数未満であると（ステップＳ１２９において、ＮＯ）、カメラ制御部４１は、第１の被写体輝度値Ｅｅ１を最終被写体輝度値Ｅｅとする（ステップＳ１３４）。そして、カメラ制御部４１は、図６に示すステップＳ１０７の処理に進む。
【０１１７】
なお、撮影倍率が所定の倍率以上であると（ステップＳ１２８において、ＮＯ）、カメラ制御部４１は、ステップＳ１３４の処理に進む。
【０１１８】
このように、本発明の第１の実施形態では、撮影倍率が所定の倍率未満である際、合焦又は合焦近傍の焦点検出領域の数が所定の数以上である場合には、合焦又は合焦近傍の焦点検出領域の数に応じた第１の補正係数Ｋｆｎを求める。さらに、第１の被写体輝度値Ｅｅ１と第２の被写体輝度値Ｅｅ２との輝度差に応じた第２の補正係数Ｋｅｅを求めて、これら第１および第２の補正係数ＫｆｎおよびＫｅｅに応じて最終被写体輝度Ｅｅを得る。
【０１１９】
これによって、例えば、黒色のような低反射率の被写体が焦点検出領域の大部分を占めて、多数の焦点検出領域が合焦又は合焦近傍にあるという場合においても露出オーバーを防止することができる。つまり、撮影シーンに拘わらず露出オーバーを防止することができる。
【０１２０】
［第２の実施形態］
続いて、本発明の第２の実施形態による測光装置を備えるカメラの一例について説明する。なお、第２の実施形態に係るカメラの構成は、図１および図５に示すカメラと同様である。
【０１２１】
第２の実施形態に係るカメラにおいても、撮影処理は図６で説明したフローチャートに応じて行われるが、第２の実施形態に係るカメラでは、露出演算処理が第１の実施形態に係るカメラと異なる。
【０１２２】
図９は、本発明の第２の実施形態に係るカメラで行われる露出演算処理を説明するためのフローチャートである。なお、図示のフローチャートにおいて、図７に示すフローチャートのステップと同一のステップについては同一の参照符号を付して説明を省略する。
【０１２３】
図９に示す例では、第１および第２の被写体輝度値Ｅｅ１およびＥｅ２を求めた後、カメラ制御部４１は、図７で説明したステップＳ１２９の処理に進む。そして、カメラ制御部４１は、ステップＳ１２９において合焦範囲領域数が所定の数以上であるか否かを判定する。
【０１２４】
合焦範囲領域数が所定の数以上であると（ステップＳ１２９において、ＹＥＳ）、カメラ制御部４１は、画像データについて既知のテンプレートマッチングなどの形状認識処理に基づいて人物又は人物の顔領域を検出する（顔検出：ステップＳ２２９）。そして、カメラ制御部４１は、当該検出結果に基づいて、人物又は人物の顔の位置およびその大きさを求めて人物情報を得る。
【０１２５】
続いて、カメラ制御部４１は、第１〜第３の条件の焦点検出領域（ここでは、合焦範囲領域部と呼ぶ）に対応する測光領域において連続する部分の大きさ、形状、および画像における位置を示す測光領域判定情報を得る（ステップＳ２３０）。そして、カメラ制御部４１は人物情報と測光領域判定情報とを参照して、人物の位置および大きさと測光領域の大きさおよび配置とが所定の条件を満たすか否かを判定する（ステップＳ２３１）。ここでは、カメラ制御部４１は人物の位置および大きさと測光領域の大きさおよび配置との一致度が低いか否かを判定する。
【０１２６】
人物の位置および大きさと測光領域の大きさおよび配置とが所定の条件を満たすと（ステップＳ２３１において、ＹＥＳ）、つまり、人物の位置および大きさと測光領域の大きさおよび配置との一致度が低いと、カメラ制御部４１は、図７で説明したステップＳ１３０の処理に進む。
【０１２７】
図１０は、図９において所定の条件が満たされた場合の状態についてその一例を示す図である。
【０１２８】
図示の例では、複数の焦点検出領域Ｓ０１〜Ｓ２７の多数において、人物ではない黒い被写体についてそのデフォーカス量が第１〜第３の条件となっている状態が示されている。このような状態では、カメラ制御部４１はステップＳ１３０の処理に進むことになる。
【０１２９】
図１１は、逆光シーンにおいて人物を撮影する際、その撮影倍率が高い場合の一例を示す図である。
【０１３０】
図１１に示す例では、撮影倍率が高いので（つまり、撮影倍率が所定の倍率以上であるので）、第１の実施形態においては、ステップＳ１２８の処理からステップＳ１３４の処理に進むことになる。
【０１３１】
一方、第２の実施形態においては、ステップＳ２３１の処理において人物の位置および大きさと測光領域の大きさおよび配置との一致度が低いという所定の条件を満たせば、ステップＳ１３０の処理に進むことになる。
【０１３２】
この結果、第２の実施形態では、撮影倍率に拘わらず、人物の位置および大きさと測光領域の大きさおよび配置とが所定の条件を満たせば、最終被写体輝度値Ｅｅが求められることになる。
【０１３３】
なお、人物の位置および大きさと測光領域の大きさおよび配置とが所定の条件を満たさないと（ステップＳ２３１において、ＮＯ）、カメラ制御部４１は、図７で説明したステップＳ１３４の処理に進む。
【０１３４】
また、ステップＳ２２９の処理で、人物又は人物の顔領域を検出できない場合には、カメラ制御部４１は測光領域判定情報に基づいて当該測光領域判定情報が示す測光領域についてその人物らしさを判定する。そして、カメラ制御部４１は測光領域判定情報が示す測光領域についてその人物らしさが所定の閾値よりも低いとステップＳ１３０の処理に進む。
【０１３５】
このように、本発明の第２の実施形態では、撮影倍率に拘わらず、人物の位置および大きさと測光領域の大きさおよび配置とに応じて、最終被写体輝度値Ｅｅを求めるか否かを決定する。これによって、撮影シーンに拘わらず、精度よく露出オーバーを防止することができる。
【０１３６】
上述の説明から明らかなように、図５に示す例では、少なくともＡＦセンサー（焦点検出手段）２０、ＡＥセンサー（測光手段）２０、およびカメラ制御部４１が測光装置を構成する。さらに、カメラ制御部４１は、第１の演算手段、第２の演算手段、制御手段、第１の検出手段、第２の検出手段、および撮影制御手段として機能する。
【０１３７】
以上、本発明について実施の形態に基づいて説明したが、本発明は、これらの実施の形態に限定されるものではなく、この発明の要旨を逸脱しない範囲の様々な形態も本発明に含まれる。
【０１３８】
例えば、撮像素子１２を用いて焦点検出を行う構成でもよいし、撮像素子１２を用いて測光を行う構成でもよい。
【０１３９】
また、焦点検出の方法もデフォーカス量を求める方法ではなく、コントラスト値を求める方法でもよく、コントラスト値に基づいてより合焦に近い焦点検出領域の重み付け係数を大きくするようにしてもよい。
【０１４０】
さらに、上記の実施の形態の機能を制御方法として、この制御方法を測光装置に実行させるようにすればよい。また、上述の実施の形態の機能を有するプログラムを制御プログラムとして、当該制御プログラムを測光装置が備えるコンピュータに実行させるようにしてもよい。なお、制御プログラムは、例えば、コンピュータに読み取り可能な記録媒体に記録される。
【０１４１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４２】
１  カメラ本体
２  交換レンズ
１２  撮像素子
２０  焦点検出用センサー（ＡＦセンサー）
２６  測光用センサー（ＡＥセンサー）
４１  カメラ制御部
４３  信号処理回路
５１  レンズ制御部
５６  距離検出部（距離エンコーダー）
５７  ズーム検出部（ズームエンコーダー）
【図１】
2016118611.tif 000003
【図２】
2016118611.tif 000004
【図３】
2016118611.tif 000005
【図４】
2016118611.tif 000006
【図５】
2016118611.tif 000007
【図６】
2016118611.tif 000008
【図７】
2016118611.tif 000009
【図８】
2016118611.tif 000010
【図９】
2016118611.tif 000011
【図１０】
2016118611.tif 000012
【図１１】
2016118611.tif 000013